(57)【要約】      （修正有）【課題】高級感を盛り込んだ桜ん坊の包装箱の構造を提供する。【解決手段】平面視長方形状の枠の下面より僅か上の内側３面に連続する横溝を刻設し、この対向する溝内をスライドさせて開閉可能と成した底板を嵌入する。また、この箱の桐製の蓋と互換性を有するようにして、透明樹脂を用いて成形した蓋とする。【選択図】図１
0003120697.tif 000002
【実用新案登録請求の範囲】
【請求項１】
垂直方向に低く平面視が長方形状を有する木製の枠で、この枠の下面より僅か上の内側３面に連続する横溝を刻設し、この対向する横溝内をスライドさせて開閉可能と成した底板を嵌装し、底板を装着したことによって箱状と成すと共に、この箱の枠の上端面は内側を高く外側を低くした段状を構成し、この段の立ち上がる縦面と密接状に接触し、且つ外側の低い面に当着するように嵌合する木製の蓋を設けた事を特徴とする桜ん坊包装箱の構造。
【請求項２】
請求項１記載の木製の蓋と互換性を有するように、縦面にきつく嵌合する蓋を透明な樹脂で成形した事を特徴とする桜ん坊包装箱の構造。
【考案の詳細な説明】
【考案の詳細な説明】
【技術分野】
【０００１】  本考案はハウス栽培を施すことによって、盛期前の未だ物珍しい時季に出荷し、高価格であっても購入を希望する、富裕な顧客を対象として販売するものであるから、高級感を盛り込んだ桜ん坊の包装箱の構造に関するものである。
【背景技術】
【０００２】  高級な箱詰めの桜ん坊は、展示棚に並べて置いてある時に目に映る姿や、蓋を開けて見た瞬間に、内容物が見栄え良く見える必要がある、そのために桜ん坊の最高に奇麗にみえる頭部側だけが箱一面に見えるように、蓋を取り払った際、美しく整然と揃ってぎっしりと詰まった状態に見えるようにする必要がある。【０００３】  従って箱詰め作業を行う場合は、蓋をした状態にして、且つ底板を未設の儘で、蓋が下面になるように、箱を伏せた状態に設置してから、桜ん坊を１〜２個ずつ指で摘みながら丁寧に詰め込み作業を行い、詰め込みの完了した後に、底板を長方形状の枠の下面に当てがい、釘を打って底板を枠に固着していた。
【考案が解決しょうとする課題】
【０００４】  高級感を表すと同時に、湿度を制御する作用を有ると言われている材料として桐材がある、しかしながら桐材は高価であるが故に、桐材を使い捨てに使用しているような商品の包装箱は、材料費をできる限り低く抑える必要上、板厚を極力薄くしているものである、本考案の桜ん坊の包装箱においても、構造上最も厚い箇所となっている、長方形状を構成する枠の板厚も６ｍｍ程度しか無い。
【０００５】  従って、このように厚さの薄い枠に底板を止着する手段として、釘を正確に打ち付けることは、相当に熟練を要する技であり、釘打ちの腕が未熟であると、釘打ち時の振動によって、奇麗に並べ揃えた桜ん坊が荷崩れを起こし、これを修正しなければならない欠点を生ずるばかりでなく、振動によって桜ん坊同士が強く接触し合い、異常接触した箇所が茶色に変色してシミを生ずる欠点を有する。
【０００６】  桜ん坊の生産者は百姓が主な仕事ですから、職種の異なる大工のように上手に釘を打つ事はできない、従って釘打ち作業中に、釘が枠の側面から突き出たり、釘の頭部が折れ曲がるもの等が多く発生する、これを抜き取り新たに釘を打ち直す等、無駄な作業に多大の時間を費やし、予想以上に底板の取り付作業に時間を費やすために、釘打ちの要員を多く確保して置かなければならないものである。
【０００７】  我が国で桜ん坊を大量に生産して販売に結び付けている地域数は極めて少ない、従って販売の対象となる人達の中には観光客が多い、観光客を対象にした販売には、商品を手に取って間近に見易くする必要があるが、商品の中味を見せるために、桐箱の蓋を開いた儘で展示を続けたものの中には、多くの人手に触れている可能性があるから、商品として販売することができなくなるばかりか、指を強く触れた箇所は茶色に変色して、見栄えが悪くなるものである。
【課題を解決するための手段】
【０００８】  底板を長方形状の枠に釘を使わないで固着する手段の一つとして、接着が考えられるが、接着剤の硬化時間や食品への安全性等を考慮すると、適当な接着剤が見当たらない。例えば、酢酸ビニル系の木工ボンドと呼ばれてものは、充分に食品の安全基準をクリアしているが、この接着剤は硬化時間に長くかかり、その間底板と枠がずれなように保持する必要があり、この点に問題を抱えている。
【０００９】  これに対して、硬化の非常に速い瞬間接着剤を使用するとなると、瞬間接着剤のアロンアルフアは粘性が少なく、容器より取り出した時点では水のような状態であるから、塗布したときに木材に滲み込み、接着効果を減退させるばかりか、皮膚などにも着きやすく、取扱いや作業性に問題を有し、又、桜ん坊に接着剤が付着しないように考慮する必要があるので、食品の安全性の面でも問題がある。
【００１０】  本考案は接着に頼ること無く、底板を止着する手段を採用しているものである、即ち、高さが低く平面視が長方形状の枠で、この枠の下面より僅か上方の内側の３面に、３面が連続するように横溝を刻設し、長辺の対向する横溝内をスライドさせて開閉するようにする底板を溝に嵌装することによって、簡単に底板の着脱が可能となるから、底板の固着手段として、従来より行われいる釘打ちに頼らなくとも、底板を溝に嵌めるだけで簡単に底板を止着することが可能になった。
【００１１】  また、長方形状の枠の上面部に設けた、段部の縦面に密接して嵌合するように成してある、桐製の浅い箱状の蓋と互換性を有するように、透明な樹脂で成形した蓋を、同様に製作された長方形状の枠に嵌着することができるから、展示品は蓋をしたままの状態でも、内容物を間近に確認することができると同時に、桐製の蓋にするか否か、客の好みの選択に即対応することが可能となるものである。
【考案を実施するための最良の形態】
【００１２】  本考案の一実施例を示す図面を参照して説明する、図１は本考案に係わる桜ん坊包装箱を、着脱を容易に構成してある三つの部分に分離し、夫々を装着する方向に対して、若干離れた位置に配置して示す斜視図、図２は本考案の構造を説明するために、図１の枠の左側相当部の拡大縦断面図、図３は従来よりの桜ん坊の包装作業を説明するために、底板の一部を切欠して示す斜視図、図４は本考案の桜ん坊包装箱による、桜ん坊の包装を説明する、拡大縦断面図である。【００１３】  枠Ｅは４枚の部材板１Ｅ、２Ｅ、３Ｅ、４Ｅよりなり、互いに対向する部材板は同一長さであり、長辺の部材板１Ｅ、２Ｅは勝手違いながら、同一形状を成しており、夫々の部材板１Ｅ、２Ｅの下面１ｅ、１ｅより僅か上方の内面に、夫々溝２ｅ、２ｅを下面１ｅの長手方向と平行状に刻設してある。【００１４】  片方の短辺の部材板３Ｅの内側で、下面近くに設けられている溝３ｅは、前記長辺の部材板１Ｅ、２Ｅの溝２ｅ、２ｅと直交状に交差して、連続状に連結する位置に刻設してあり、また、前記短辺の部材板３Ｅと対向する、他方の短辺の部材板４Ｅは、前記短辺の部材板３Ｅの溝３ｅ付近より下方部分を欠如したものと、略々同一の大きさで、上端面は勝手違と見做されるような形状を成している。【００１５】  この四辺の部材板１Ｅ、２Ｅ、３Ｅ、４Ｅの夫々の両端を固着して、平面視長方形の枠Ｅを構成する、また、各部材板１Ｅ、２Ｅ、３Ｅの夫々の溝２ｅ、２ｅ、３ｅは一つの平面に有るように刻設されており、この溝に底板Ｂを嵌装させる、底板Ｂの本体薄板１ｂの一方の短辺側には、取手材２ｂを設け、この取手材２ｂは前記短辺の部材板４Ｅの、下方の欠如した部分と略々同一の形状を成している。【００１６】  長方形状の枠Ｅの上面部は、板厚の半分程度の厚さで内側５ｅを高くし、残り半分程度の四辺の外側の低い面６ｅは、一平面に配置するように、四方に段状を形成し、この段の四方の縦面７ｅに対して、蓋Ｄの外側壁２ｄの内側３ｄが密接状態に嵌合し、この外側壁２ｄの下縁４ｄは、前記枠Ｅの外方の低い上面６ｅに載置し、蓋Ｄの外側壁２ｄの外壁面は、枠Ｅの外壁面と一致する大きさの長方形を成し、天板１ｄで周囲の外側壁２ｄを連結した極浅い箱状を呈している。
【考案の効果】
【００１７】  以上、詳細に説明したところから明らかなように、従来から桜ん坊の包装箱は、蓋が下になるように伏せた状態に置き、桜ん坊を丁寧に並べながら詰め込み作業を行い、詰め込みの完了した後に、底板を周囲の枠に釘打ちによって固着していたために、釘打ちの腕が未熟であると、釘打ち時の振動によって、折角並べ揃えた桜ん坊が荷崩れを起こし、これを修正しなけんばならないばがりが、振動によって桜ん坊同士が異常接触することで、接触箇所にシミを生ずる欠点かあった。
本考案の桜ん坊包装箱は、長方形状の枠の内側下方の三面に連続するように横溝を刻設し、主として枠の対向する横溝内をスライドさせて開閉する底板を、横溝に嵌入することによって、底板の止着が非常に簡単でスピード化されるばかりか、振動を生じることも皆無となる、また桐製の蓋と互換性の有る透明樹脂製の蓋を装着することによって、展示品を手に取って間近に見る頻度が増えても、異常を生じない等、本考案によれば記述した従来の問題点は良好に解決できる。
【図面の簡単な説明】
【図１】本考案に係わる桜ん坊包装箱を、着脱を容易に構成してある三つの部分に分離し、夫々を装着する方向に対して、若干離れた位置に配置して示す斜視図である。
【図２】本考案の構造を説明するために、図１の枠の左側相当部の拡大縦断面図である。
【図３】従来より行われている、桜ん坊の包装作業を説明するために、底板の一部を切欠して示す斜視図である。
【図４】本考案の桜ん坊包装箱による、桜ん坊の包装を説明する、拡大縦断面図である。
【符号の説明】
Ｂ…底板、    １ｂ…底板の本体薄板、    ２ｂ…底板の取手材    Ｄ…蓋、    １ｄ…蓋の天板、    ２ｄ…蓋の外側壁、    ３ｄ…蓋の外側壁の内側、    ４ｄ…蓋の外側壁の下縁、    Ｅ…長方形状の枠    １Ｅ…長辺の部材板、    ２Ｅ…長辺の部材板    ３Ｅ…短辺の部材板、    ４Ｅ…短辺の部材板    ２ｅ…長辺の部材板の溝、    ３ｅ…短辺の部材板の溝    ５ｅ…長方形の枠上端面の内側、    ６ｅ…長方形の枠上端面の外側    ７ｅ…長方形の枠上端面の段の縦面
【図１】
0003120697.tif 000003
【図２】
0003120697.tif 000004
【図３】
0003120697.tif 000005
【図４】
0003120697.tif 000006